(57)【要約】【課題】既存のホテルにおいて簡単な内装工事により構築でき、また、入浴の利用において個人のプライバシーが守られ、しかも、経済的に負担なく効率良く運転できるホテルにおける多様入浴施設を提供する。【解決手段】既存ホテルの客室のうちの幾つかの客室について、個室として残存させ、または一対の客室を合体させて拡張した個室となし、いずれの個室においても外窓を残存させ、当該個室の既存設備および内装の一部または大部分を撤去し、新たな内装とともに外窓から眺望できる展望浴室を設け、全体の個室が展望浴室の入浴型式において異なる種類に分かれており、この型式が異なる展望浴室を備えプライベートに入浴できる多数の個室の集団からなることを特徴とする。【選択図】    図１
2008280706.tif 000002
【特許請求の範囲】
【請求項１】
既存ホテルの客室のうちの幾つかの客室について、個室として残存させ、または一対の客室を合体させて拡張した個室となし、いずれの個室においても外窓を残存させ、当該個室の既存設備および内装の一部または大部分を撤去し、新たな内装とともに外窓から眺望できる展望浴室を設け、全体の個室が展望浴室の入浴型式において異なる種類に分かれており、この型式が異なる展望浴室を備えプライベートに入浴できる多数の個室の集団からなることを特徴とするホテルにおける多様入浴施設。
【請求項２】
前記型式の一つが風呂であって、且つ、展望浴室がホテルの機械室から配管収納スペースを通して得られる水を室内で湯沸かしすることにより浴槽を湯で満たす種類であって、バイプラバス、白大理石風呂、丸木風呂、檜風呂、大黒風呂、ジェットバス等のいずれかであることを特徴とする請求項１記載のホテルにおける多様入浴施設。
【発明の詳細な説明】
【技術分野】
【０００１】
この発明は、既存のホテルに入浴型式が異なる多様な入浴ができるように新規に構築する新たな工法による多様入浴施設に関する。
【背景技術】
【０００２】
従来、ホテルには、一般的に各客室ごとに洋風のバスルームが設けられ、バスルームの備えのない客室のために共同浴場が設けられる。バスルームに関してホテルの構造をみると、地階または地上の機械室に、空調（冷暖房・換気）設備、衛生（給排水・給湯）設備、ガス設備、電気設備など様々な設備が置かれ、これが各階に筒抜けの配管スペース（ＰＳ）を通して各階の客室に提供されるようになっている。
【０００３】
バスルームは、機械室からの配管で給排水・給湯を受けることにより利用されるため、配管スペースに隣接する箇所に設けられ、配管スペースは、普通には廊下に近接する箇所に設けられている関係で、バスルームが外窓をとることはできなく閉塞的であり、しかも、同じ配管スペースを利用するトイレや洗面台が同じ室内に置かれていたから、寛いで入浴を楽しむ環境ではなかった。また、入浴の仕方について、給湯によってバスに湯を満たし終わってからは全ての湯を排水することになるため、和風の風呂に比して湯の使い方が荒く不経済であった。
【０００４】
バスルームを置かない代わりに共同浴場が置かれている場合でも、コストを考慮する設置目的から地味な設備となり、また、地上近くに設けられるから周囲の景観を展望可能な外窓がなくわびしく閉塞的であり、素泊まりの来客が身体を洗う程度に利用される。この場合は、宿泊費も割安となるが、ホテルは泊まるだけに利用されることになる。
【０００５】
ホテルは顧客が満足する空間を提供するものであるが、時代の変化に対応し需要を喚起するためにさらに発展的に戦術が練られている。その一つは、空間がもたらす満足感を「快適に泊まれるホテル」に求めるのではなく、「快適に過ごせるホテル」に転換する発想である。また、単に素泊まりに止まらず、「癒し」を提供することにより地域に密着したホテルであるべきだという。これは地元の来客もホテルの満足要素に取り入れる考えに通じる。つまり、素泊まりの客であっても、ホテルの中で和気あいあいとする地域社会が実感できるために満足し又泊まりにこようという気持ちが起きるとされる。
【０００６】
そこで、ホテルの最上階に、岩風呂や滝、岩盤浴等が混在する多様入浴施設（健康ランドと称されることがある）であって、昼夜の美しい外観も見渡せるような展望大浴場を設けていた。
【０００７】
しかし、既存のホテルの最上階を全面的に展望浴場として改修することは至難であって、最上階にある多数の客室を仕切っている構造壁を取り壊して撤去し、補強や外壁に展望窓を設けるという大工事となるために、全館で営業を中止する必要が生じてしまう不都合があった。しかも、一つの浴場を不特定多数の人が利用するとなると、プライバシーの配慮に欠け、必ずしも癒し効果が期待できないという問題があった。
【発明の開示】
【発明が解決しようとする課題】
【０００８】
この発明は、上記のような実情に鑑みて、既存のホテルにおいて簡単な内装工事により構築でき、また、入浴の利用において個人のプライバシーが守られ、しかも、経済的に負担なく効率良く運転できるホテルにおける多様入浴施設を提供することを課題とした。
【課題を解決するための手段】
【０００９】
上記の課題を解決するために、この発明は、既存ホテルの客室のうちの幾つかの客室について、個室として残存させ、または一対の客室を合体させて拡張した個室となし、いずれの個室においても外窓を残存させ、当該個室の既存設備および内装の一部または大部分を撤去し、新たな内装とともに外窓から眺望できる展望浴室を設け、全体の個室が展望浴室の入浴型式において異なる種類に分かれており、この型式が異なる展望浴室を備えプライベートに入浴できる多数の個室の集団からなることを特徴とするホテルにおける多様入浴施設を提供するものである。
【００１０】
ホテルにおける多様入浴施設を上記のように構成したから、これを構築するには、例えば、最上階にこれを設けるとすると、最上階の各客室をそのまま個室として残存させ、その中を改修することにより、既存の外窓に面した展望浴室を設ける。そして、この展望浴室の種類を風呂、岩盤浴、その他の異なるいずれかの型式にすることにより、最上階全体をこの型式が異なる展望浴室を備えたプライベートに入浴できる個室の集団とする。また、個室を拡張するとしても、隣接する一対の客室をその間の壁を撤去する程度として工事をできるだけ少なくできる。
【発明の効果】
【００１１】
以上説明したように、この発明のホテルにおける多様入浴施設によれば、原則として客室を個室として残すために内装程度の簡単な工事となり、コスト安となることはもちろん工期短縮にも適し、工事中にも営業の継続が可能となり、また、入浴の利用において多種の入浴サービスを受ける選択が可能であってそれぞれに個人のプライバシーが守られこの点でも心が癒され、しかも、各個室ごとの運営となり、大規模な入浴施設と比して宿泊客数に合わせて運転浴室数を調整可能であって、経済的にも負担なく効率良く運転でき、特に、請求項２に記載の如くであると、消費湯量の節減となる等、数々の優れた効果を奏するものである。
【００１２】
さらに、機械類の故障時にも運転の停止が限定的となり、需要に応じ浴室の増設も可能となるという効果も併有する。
【発明を実施するための最良の形態】
【００１３】
次に、この発明の実施形態を図面に基づいて説明する。
【００１４】
この発明によるホテルにおける多様入浴施設は、それぞれ展望浴室１３を備えた多数の個室Ｐ，Ｐ，・・の集団からなるもので（図２）、外の景観を展望しながら入浴できるために癒し効果が特に得られる。したがって、最上階に実施することが望ましいことはいうまでもない。また、展望浴室１３の型式は、バイプラバス、大理石風呂、檜風呂、ジェットバス等の風呂、或いは岩盤浴等、集団としてそのいずれも備えているが、選択的にプライベートに利用することになる点に特徴がある。
【００１５】
図１は展望浴室１３が岩盤浴の場合であって、出入口２から奥行きのある既存の客室をそのまま残した個室Ｐとなっており、その奥半部に外窓３に面した展望浴室１３が設けられ、他の廊下１側の半部には、トイレルーム１０、洗面台１２付きの脱衣室１１が設けられる。４０が岩盤浴の岩盤である。
【００１６】
また、個室Ｐの廊下１側の隅角に既存の配管収納スペース５を有し、そこから岩盤浴の運転に要する水源経路や電源経路が引かれる。また、出入口２の踏込み４２の横に掃除用具入れ４３が設けられる。
【００１７】
なお上記実施例では、風呂としての展望浴室１３の種類として岩盤浴を例示したが、その他バイプラバス、白大理石風呂、丸木風呂、檜風呂、大黒風呂、ジェットバス等の風呂であっても良いことは言うまでもない。
【００１８】
個室Ｐ，Ｐ，・・の集団については、これを構成する個室Ｐが、上記した風呂型式や岩盤浴型式、その他の型式のいずれかに属する展望浴室１３を備えている。図２に示す間取りでは、各個室Ｐが廊下１を挟んで外に面しているので、各個室Ｐで展望浴室１３を備えることができるが、中庭に面するだけであるために、展望浴室１３を備えない個室が一部混在していてもこの発明の趣旨に反しないことはもちろん、一階の全部ばかりでなく、一部において実施されていても良く、また、数階に渡って実施されていても良い。なお、図３において、４５は階段である。
【図面の簡単な説明】
【００１９】
【図１】この発明の実施に要する型式が岩盤浴の展望浴室を備えた個室の一例を示す平面図である。
【図２】この発明が実施される個室の集団の一例としてホテルの最上階の概略の間取りを示す平面図である。
【符号の説明】
【００２０】
Ｐ  個室
３  外窓
５，７  配管収納スペース
１３  展望浴室
【図１】
2008280706.tif 000003
【図２】
2008280706.tif 000004